(57)【要約】【課題】水中で動くことのできる新たな手段を備えた疑似餌を提供する。【解決手段】気体が充填され自然状態で所定の形状となるバルーンアクチュエータ１と、このバルーンアクチュエータ１を強制的に変形させた状態で拘束している拘束材２とを備えている。この拘束材２は、水に濡れることで軟らかくなり前記拘束を解除する。【選択図】      図２
2008182995.tif 000002
【特許請求の範囲】
【請求項１】
膨張したバルーン本体と、
膨張状態にある前記バルーン本体を強制的に変形させた状態で拘束していると共に、水に濡れることにより状態が変化することで前記拘束を解除する拘束材と、
を備えていることを特徴とする疑似餌。
【請求項２】
前記拘束材は、乾いている状態では前記バルーン本体が自然状態に復帰する力に抗する硬さがあり濡れることで軟らかくなる硬さ変化部を有している請求項１に記載の疑似餌。
【請求項３】
前記拘束材は、乾いている状態では前記バルーン本体が自然状態に復帰する力に抗する保持力を発揮させることができ濡れることで溶ける溶解部を有している請求項１に記載の疑似餌。
【請求項４】
前記バルーン本体を複数備えており、
前記拘束材は、これらバルーン本体のそれぞれを拘束していると共に、濡れることによる前記状態の変化の時期がそれぞれ相違する部分を有している請求項１〜３のいずれか一項に記載の疑似餌。
【請求項５】
前記バルーン本体は複数の空間部を有しており、
前記拘束材は、前記空間部のそれぞれを変形させた状態として拘束していると共に、濡れることによる前記状態の変化の時期がそれぞれ相違する部分を有している請求項１〜４のいずれか一項に記載の疑似餌。
【請求項６】
給気することによって変形するバルーンアクチュエータと、このバルーンアクチュエータに給気を行う給気手段と、を備えたことを特徴とする疑似餌。
【請求項７】
前記バルーンアクチュエータとチューブを介してつながっている錘部を更に備え、
前記給気手段はこの錘部に設けられている請求項６に記載の疑似餌。
【請求項８】
前記給気手段は、水に濡れることにより発泡する発泡剤を有しており、この発泡剤によって生じた気体を前記バルーンアクチュエータに供給する請求項６又は７に記載の疑似餌。
【請求項９】
前記給気手段は、給気することで前記バルーンアクチュエータの高くなった内圧を逃がすリリーフ弁を有している請求項６〜８のいずれか一項に記載の疑似餌。
【請求項１０】
前記バルーンアクチュエータは一方向に長い形状であると共に曲がる変形が可能である本体部を有し、
この本体部を胴部とした海老形である請求項１〜９のいずれか一項に記載の疑似餌。
【発明の詳細な説明】
【技術分野】
【０００１】
この発明は、魚釣り用の疑似餌に関する。
【背景技術】
【０００２】
魚釣り用の餌として、生き餌に換えて疑似餌が広く用いられている。従来知られている疑似餌は、樹脂製や木製のものや羽毛が使用されたもの等があり、使用者が釣り竿及び釣り糸を操作することによって疑似餌に動きを与え、魚を釣ろうとするものである。このように、釣り竿及び釣り糸の操作によって、水中の疑似餌に微妙な動きを与えることは、高度で熟練した技能が必要である。そこで、疑似餌自身が生き餌に似た動きを行うように構成したものがある（例えば、特許文献１参照）。
【０００３】
【特許文献１】特開平３−４３０３４号公報
【発明の開示】
【発明が解決しようとする課題】
【０００４】
特許文献１に記載の疑似餌は、水中に投入されると、水溶性の繊維からなる表層糸が溶解することにより中間糸がほどけ、これにより複合糸条の全体がくねるようにして動作する。この特許文献１の疑似餌は、複雑で活発な運動を持続させることができるように改良されたものであるが、釣る魚の種類によっては、より一層活発に動くことのできる疑似餌が望まれている。
【０００５】
この発明は、釣り竿及び釣り糸を操作することによって動きを与えようとしなくても、水中で動くことのできる新たな手段を備えた疑似餌を提供することを目的とする。
【課題を解決するための手段】
【０００６】
前記目的を達成するためのこの発明の疑似餌は、膨張したバルーン本体と、膨張状態にある前記バルーン本体を強制的に変形させた状態で拘束していると共に、水に濡れることにより状態が変化することで前記拘束を解除する拘束材とを備えているものである。
この疑似餌によれば、拘束材が水に濡れるとその状態が変化することにより、強制的に変形させた状態としたバルーン本体の拘束を解除することができるので、この疑似餌が水中にある状態で、バルーン本体は自然状態へと復帰することができる。これにより、水中で自動的に動く疑似餌が得られる。
【０００７】
また、前記疑似餌において、前記拘束材は、乾いている状態では前記バルーン本体が自然状態に復帰する力に抗する硬さがあり濡れることで軟らかくなる硬さ変化部を有している構成とすることができる。
これによれば、拘束材の前記状態の変化は、拘束材の硬さ変化部における硬さの変化である。この硬さ変化部は、乾いている状態では、バルーン本体が自然状態に復帰する復元力に抗する硬さ（保持力）があるが、濡れることで軟らかくなり、前記復元力が保持力に勝ってバルーン本体は自然状態に復帰することができる。
【０００８】
または、前記疑似餌において、前記拘束材は、乾いている状態では前記バルーン本体が自然状態に復帰する力に抗する保持力を発揮させることができ濡れることで溶ける溶解部を有している構成とすることができる。
これによれば、拘束材の前記状態の変化は、拘束材の溶解部が溶けた状態となることである。この溶解部は、乾いている状態では、バルーン本体が自然状態に復帰する復元力に抗する保持力を発揮することができるが、濡れることで溶け、前記保持力が減少乃至消滅し、前記復元力によってバルーン本体は自然状態に復帰することができる。
【０００９】
また、前記疑似餌は、前記バルーン本体を複数備えており、前記拘束材は、これらバルーン本体のそれぞれを拘束していると共に、濡れることによる前記状態の変化の時期がそれぞれ相違する部分を有しているのが好ましい。
これによれば、動く部分を複数の有した構造となり、また、拘束材が濡れることにより各部分についての状態が変化する時期がそれぞれ相違するので、水中において、複数のバルーン本体のそれぞれは時間差を有して自然状態に戻ることができる。これにより、複数回にわたって疑似餌を動かすことができる。
【００１０】
また、前記疑似餌において、前記バルーン本体は複数の空間部を有しており、前記拘束材は、前記空間部のそれぞれを変形させた状態として拘束していると共に、濡れることによる前記状態の変化の時期がそれぞれ相違する部分を有しているのが好ましい。
これによれば、バルーン本体が複数の関節を有した構造となり、また、拘束材が濡れることにより各部分の状態が変化する時期がそれぞれ相違するので、水中において、バルーン本体のうちの複数の空間部の部分はそれぞれ時間差を有して自然状態に戻ることができる。これにより、複数回にわたってバルーン本体を動かすことができる。
【００１１】
また、この発明の疑似餌は、給気することによって変形するバルーンアクチュエータと、このバルーンアクチュエータに給気を行う給気手段とを備えたものである。この構成によれば、給気手段がバルーンアクチュエータに給気を行うことにより、疑似餌は水中で動くことができる。
【００１２】
また、前記疑似餌は、前記バルーンアクチュエータとチューブを介してつながっている錘部を更に備え、前記給気手段はこの錘部に設けられているのが好ましい。
これによれば、動く部分となるバルーンアクチュエータと給気手段との距離を離すことができるので、バルーンアクチュエータの部分のみを疑似餌の本体乃至本体の一部として構成することができる。これにより、疑似餌が供給手段によって不自然な形状となることを防止できる。
【００１３】
また、前記疑似餌において、前記給気手段は、水に濡れることにより発泡する発泡剤を有しており、この発泡剤によって生じた気体を前記バルーンアクチュエータに供給するのが好ましい。これによれば、この疑似餌を水中に投じることで発泡剤が発泡し、バルーンアクチュエータに気体を自動的に供給し、疑似餌を自動的に動かすことができる。
【００１４】
また、前記疑似餌において、前記給気手段は、給気することで前記バルーンアクチュエータの高くなった内圧を逃がすリリーフ弁を有しているのが好ましい。
これによれば、給気手段がバルーンアクチュエータに給気を行い、バルーンアクチュエータの内圧が高まって当該バルーンアクチュエータを膨張変形させた後、リリーフ弁によって、その内圧を逃がすことによりバルーンアクチュエータが収縮変形する。そして、給気手段の給気により、バルーンアクチュエータを再び膨張変形させることができる。このように、水中において、バルーンアクチュエータの膨張と収縮とを自動的に繰り返して行わせることができる。
【００１５】
前記各疑似餌において、前記バルーンアクチュエータは一方向に長い形状であると共に曲がる変形が可能である本体部を有し、この本体部を胴部とした海老形であるのが好ましい。これによれば、本物の海老に近似した胴部が動く疑似餌とすることができる。
【発明の効果】
【００１６】
この発明の疑似餌によれば、バルーン本体（バルーンアクチュエータ）が動くことによって、釣り竿及び釣り糸を操作することによって疑似餌に動きを与えようとしなくても、疑似餌は水中で動くことができる。
【発明を実施するための最良の形態】
【００１７】
以下、この発明の実施の形態を図面に基づいて説明する。
図１はこの発明の疑似餌の実施の一形態を示している側面図である。図２はこの疑似餌が動いた後の状態を示している。この疑似餌は、頭部１０と胴部１１とを有した海老形である。
【００１８】
頭部１０は例えば樹脂製や木製とすることができ、この頭部１０に釣り針１２が取り付けられている。なお、この発明では、胴部１１において、先端部（先部）とは海老の尻尾に相当する側であり、基端部（基部）とは頭部１０側である。
胴部１１は、動く部分となるバルーン本体（以下、バルーンアクチュエータという）１と、このバルーンアクチュエータ１の形状を拘束した状態とするための拘束材２とを備えている。図１は、拘束材２がバルーンアクチュエータ１を拘束した状態であり、図２はこの拘束が解除された状態を示している。この実施形態の疑似餌は、複数（三つ）のバルーンアクチュエータ１ａ，１ｂ，１ｃを有している。なお、以下の説明において、これらバルーンアクチュエータ１ａ，１ｂ，１ｃをまとめてバルーンアクチュエータ１として説明していることもある。
【００１９】
拘束材２は、側面視において略Ｊ字形のベース部７、及び、後に詳しく説明する硬さ変化部３を有するものとできる。または、略Ｊ字形のベース部７、及び、後に詳しく説明する溶解部４を有するものとできる。
バルーンアクチュエータ１は、気体（流体）が充填されることで膨張した状態となっており、その膨張した自然状態で所定の形状となるものである。具体的には、バルーンアクチュエータ１は膨張した自然状態で、図２に示しているように、ベース部７の湾曲形状に沿わない形状として設けられている。バルーンアクチュエータ１は、その基部側の取付部８と本体部６とを有しており、この本体部６は、一方向に長い形状（矩形）であると共に、図１に示しているように、その先端部が前記取付部８側に曲がる（湾曲する）変形が可能となる部分である。
【００２０】
図３と図４とはバルーンアクチュエータ１を説明する断面図である。バルーンアクチュエータ１は、複数の膜体を積層して構成されており、具体的には、シリコンラバーフィルムからなる第１膜体１６と、同じくシリコンラバーフィルムからなる第２膜体１７とを積層して構成されており、薄くて柔軟な構造となっている。第１膜体１６と第２膜体１７との間には、流路部１８と、この流路部１８よりも断面が拡大している空間部５ａ，５ｂ，５ｃとが形成されている。
【００２１】
流路部１８及び空間部５ａ，５ｂ，５ｃは、第１膜体１６に凹溝を形成することによって構成できる。流路部１８は入口部１９とつながっており、この入口部１９からバルーンアクチュエータ１内に気体を供給することができ、供給された気体により空間部５ａ，５ｂ，５ｃは膨らむ（図４参照）。第１膜体１６と第２膜体１７とはともに伸縮自在な素材によって形成されているため、図４に示しているように、バルーンアクチュエータ１の空間部５ａ，５ｂ，５ｃのある部分は、供給された気体の圧力によって風船のようにその表面積を拡げつつ伸びて膨張することができる。そして、この第１の実施形態に係る疑似餌では、気体を充填し膨張させた状態で入口部１９を封止し、バルーンアクチュエータ１内を閉塞空間としている。
【００２２】
このバルーンアクチュエータ１において、第１膜体１６は第２膜体１７よりも薄くなっており、同じ圧力下でも、第１膜体１６は第２膜体１７よりも大きく膨張することができる。すなわち、第２膜体１７は第１膜体１６よりも厚く剛性が高いため、同じ圧力下では第１膜体１６よりも小さくしか膨張することができない。これにより、図４に示しているように、膨張した状態にあるバルーンアクチュエータ１は、下方への曲がった状態となることができる。そして、バルーンアクチュエータ１（空間部５ａ，５ｂ，５ｃ）の内圧を変化させることにより、バルーンアクチュエータ１の曲がり角度（曲がり度合い）を変更、調整することができ、様々な形状（図２のバルーンアクチュエータ１ａ，１ｂ，１ｃ）を構成することができる。
【００２３】
図１と図２とにおいて、拘束材２のベース部７は樹脂製や木製であり、側面視略Ｊ字形に形成されている。そして、このベース部７の基部７ａ側にバルーンアクチュエータ１の前記取付部８が固定されている。この固定された状態では、自然状態にあるバルーンアクチュエータ１はベース部７の湾曲形状に沿わない。この状態から、バルーンアクチュエータ１をベース部７の湾曲形状に沿って強制的に変形させ、拘束材２はこの変形をさせた状態でバルーンアクチュエータ１を拘束することができる。この拘束している状態（図１）では、バルーンアクチュエータ１は自然状態（図２）に復帰しようとする弾性的な復元力が生じた状態にある。
【００２４】
拘束材２についてさらに説明する。拘束材２は前記のとおり硬さ変化部３を有している。硬さ変化部３は、乾いている状態（水を含んでいない状態）ではバルーンアクチュエータ１が自然状態に復帰しようとする復元力に抗する硬さがあるが、水に濡れることで軟らかくなる。具体的には、硬さ変化部３はポリビニルアルコールからなるバインダ９である。そして、このバインダ９が、バルーンアクチュエータ１（の先端部）とベース部７（の先端部）とにわたって設けられている。そして、バインダ９は、乾いている状態では、バルーンアクチュエータ１が自然状態に復帰しようとする復元力に抗する硬さ（保持力）を有しており、この保持力によって、バルーンアクチュエータ１がベース部７から離れようとするのを規制している。これにより、拘束材２は、バルーンアクチュエータ１をベース部７に沿って強制的に変形させた状態で拘束することができる。
【００２５】
しかし、この疑似餌が水中に投入されると、水に濡れることでバインダ９はその親水性により徐々に軟らかくなり、バルーンアクチュエータ１の前記復元力が前記保持力に勝って、バルーンアクチュエータ１は自然状態に復帰することができる。このように、拘束材２は、水に濡れることにより硬さ変化部３の状態が変化することで、バルーンアクチュエータ１の拘束を解除する。
【００２６】
拘束材２の別の形態として、拘束材２は前記のとおり溶解部４を有しているものがある。溶解部４は、乾いている状態ではバルーンアクチュエータ１が自然状態に復帰する復元力に抗する保持力を発揮させることができるが、水に濡れることで溶ける。具体的には、溶解部４はポリビニルアルコールからなるバインダ９である。そして、このバインダ９が、バルーンアクチュエータ１（の先端部）とベース部７（の先端部）とにわたって設けられている。そして、バインダ９は、乾いている状態では、バルーンアクチュエータ１が自然状態に復帰する復元力に抗する保持力を発揮することができ、バルーンアクチュエータ１がベース部７から離れようとするのを規制している。これにより、拘束材２は、バルーンアクチュエータ１をベース部７に沿って強制的に変形させた状態で拘束することができる。
【００２７】
しかし、この疑似餌が水中に投入されると、水に濡れることでバインダ９は溶け、前記保持力が徐々に減少乃至消滅し、バルーンアクチュエータ１の前記復元力によってバルーンアクチュエータ１は自然状態に復帰することができる。このように、拘束材２は、水に濡れることにより溶解部４の状態が変化することで、バルーンアクチュエータ１の拘束を解除する。
【００２８】
また、図１と図２との形態において、この疑似餌は、複数のバルーンアクチュエータ１ａ，１ｂ，１ｃを備えている。そして、バインダ９は、これらバルーンアクチュエータ１ａ，１ｂ，１ｃのそれぞれを拘束している複数の部分を有した拘束部２ａを備えている。この拘束部２ａの各部分は、水に濡れることによりその状態が変化する時期（例えば溶ける時期）がそれぞれ相違している。
【００２９】
すなわち、図１において、拘束部２ａは、ベース部７と第１のバルーンアクチュエータ１ａとの間に介在している第１部９ａと、第１のバルーンアクチュエータ１ａと第２バルーンアクチュエータ１ｂとの間に介在している第２部９ｂと、第２のバルーンアクチュエータ１ｂと第３バルーンアクチュエータ１ｃとの間に介在している第３部９ｃとを有している。そして、この疑似餌が水中に投入されると、第３部９ｃは第１部９ａ及び第２部９ｂよりも水が浸入し易く、第２部９ｂは第１部９ａよりも水が浸入し易い構成となっている。
【００３０】
これにより、まず、第３部９ｃが第２部９ｂ及び第１部９ａよりも先に溶ける（軟らかくなる）ことで、第３のバルーンアクチュエータ１ｃが自然状態へと復帰するように動く。そして、所定時間が経過すると、第２部９ｂが第１部９ａよりも先に溶ける（軟らかくなる）ことで、第２のバルーンアクチュエータ１ｂが自然状態へと復帰するように動く。そして、さらに所定時間が経過すると、第１部９ａが溶ける（軟らかくなる）ことで、第１のバルーンアクチュエータ１ａが自然状態へと復帰するように動く。
【００３１】
この疑似餌によれば、動く部分を複数の有した構造となり、また、水に濡れることにより、バインダ９の各部分が溶け、前記復元力が前記保持力を越える時期がそれぞれ相違するので、水中において、複数のバルーンアクチュエータ１ａ，１ｂ，１ｃのそれぞれは時間差を有して自然状態に戻ることができる。これにより、複数回にわたって疑似餌を動かすことができる。
【００３２】
また、前記拘束材２が、硬さ変化部３又は溶解部４として水溶性のあるバインダ９を有している形態の変形例として、図５に示しているものがある。図１ではバインダ９をバルーンアクチュエータ１の先端部に設けたが、図５の形態では、バルーンアクチュエータ１の長手方向に沿ってバインダ１３を設けている。バルーンアクチュエータ１をベース部７に沿って強制的に湾曲変形させた状態として、このバインダ１３は本体部６をその長手方向の全長にわたって固めている。これにより、バルーンアクチュエータ１を変形させた状態に拘束することができる。そして、この疑似餌を水中に投入すると、このバインダ１３が徐々に溶けることにより、バルーンアクチュエータ１の拘束を解除することができる。
【００３３】
また、この図５の形態において、バルーンアクチュエータ１ａ，１ｂ，１ｃのそれぞれは複数（三つ）の空間部５ａ，５ｂ，５ｃを有している。外側の第３のバルーンアクチュエータ１ｃについて説明すると、先端部側から第１空間部５ａ、第２空間部５ｂ、第３空間部５ｃを有している。そして、バインダ１３が、これら空間部５ａ，５ｂ，５ｃのそれぞれの外側部分に設けられることによって、これら各部を変形させた状態として拘束している。つまり、このバインダ９は、第１空間部５ａの部分を拘束している第１部１３ａと、第２空間部５ｂの部分を拘束している第２部１３ｂと、第３空間部５ｃの部分を拘束している第３部１３ｃとを有している。そして、第１部１３ａと第２部１３ｂと第３部１３ｃとは、水に濡れることによりその状態が変化する時期（例えば溶ける時期）がそれぞれ相違している。
【００３４】
これを具体的に説明すると、第１部１３ａは第２部１３ｂと第３部１３ｃよりもバインダ１３のボリュームが少なく、第２部１３ｂは第３部１３ｃよりもバインダ１３のボリュームが少ない構成となっている。これにより、まず、第１部１３ａが第２部１３ｂ及び第３部１３ｃよりも先に溶ける（軟らかくなる）ことで、バルーンアクチュエータ１ｃの先端部が自然状態へと復帰するように動く。そして、所定時間が経過すると、第２部１３ｂが第３部１３ｃよりも先に溶ける（軟らかくなる）ことで、バルーンアクチュエータ１ｃの中間部が自然状態へと復帰するように動く。そして、最後に、さらに所定時間が経過すると、第３部１３ｃが溶ける（軟らかくなる）ことで、バルーンアクチュエータ１ｃの基端部が自然状態へと復帰するように動く。
【００３５】
この疑似餌によれば、一つのバルーンアクチュエータ１ｃが複数の関節を有した構造となり、また、水に濡れることにより、バインダ１３の各部分が溶け、前記復元力が前記保持力を越える時期がそれぞれ相違するので、水中において、バルーンアクチュエータ１ｃのうちの複数の空間部５ａ，５ｂ，５ｃの部分のそれぞれは、時間差を有して自然状態に戻ることができる。これにより、複数回にわたって一つのバルーンアクチュエータ１ｃを動かすことができる。さらに、この第３バルーンアクチュエータ１ｃに対するバインダ１３の構成を、第２バルーンアクチュエータ１ｂ及び第１バルーンアクチュエータ１ａに適用することができる。さらに、この構成を、図１のバインダ９を有した疑似餌に適用することもできる。
【００３６】
以上の各実施形態によれば、拘束材２が水に濡れるとその状態が変化する（軟らかくなる又は溶ける）ことにより、強制的に変形させた状態としたバルーンアクチュエータ１の拘束を解除することができるので、この疑似餌が水中にある状態で、バルーンアクチュエータ１は自然状態へと復帰することができる。これにより、水中で自動的に動く疑似餌が得られる。さらに、このバルーンアクチュエータ１が自然状態へと復帰する動作は、弾性的な復元力によるものであるため、急な動作となる。したがって、この発明の疑似餌は、急な動作を行うことができる構成を有している。また、この発明は、餌の急な動作に反応して魚はこれに飛びつくという習性を考慮したものであるため、このような急な動作を行うことができる構成は疑似餌として好適である。なお、従来、水中で自動的に動く疑似餌があるが、この疑似餌の動きは緩やかな動きであり、魚の反応は鈍い。
【００３７】
図６は、この発明の疑似餌の他の実施形態を示している側面図である。図７は、この疑似餌が動作した後の状態を示している。この疑似餌は、前記実施形態と同様に、頭部１０と胴部１１とを有した海老形である。そして、この疑似餌は、動く部分となる胴部１１として給気することによって変形するバルーンアクチュエータ１と、このバルーンアクチュエータ１に給気を行う給気手段２６とを備えている。
【００３８】
バルーンアクチュエータ１は、図３と図４とに示した前記実施形態のものと同じであるが、図６と図７とに示しているように、入口部１９に、チューブ２８を介して前記給気手段２６が接続されており、バルーンアクチュエータ１内に積極的に給気が行われる。
バルーンアクチュエータ１は、空間部５ａ，５ｂ，５ｃの内圧の変化によって動作量（曲がり角度）が変わる。つまり、空間部５ａ，５ｂ，５ｃの内圧が高くなると空間部５ａ，５ｂ，５ｃにおける部分が膨張変形し（図７）、バルーンアクチュエータ１は大きく曲がる。そして、空間部５ａ，５ｂ，５ｃの内圧が低くなると図６に示しているように、膨張していた空間部５ａ，５ｂ，５ｃにおける部分が収縮変形し（図６）、バルーンアクチュエータ１は給気前の状態又はこれに近い状態に戻る。
【００３９】
給気手段２６は、水に濡れることにより発泡する発泡剤２９を有しており、この発泡剤２９によって生じた気体をバルーンアクチュエータ１へ供給するようになっている。発泡剤２９としては、二酸化炭素を出す炭酸水素ナトリウムがある。発泡剤２９は例えば容器等の収容部３１内に収容された状態にあり、この収容部３１に形成した開口部に前記チューブ２８がつながっている。そして、収容部３１には弁部（図示せず）が設けられており、給気手段２６が水中にある状態で、この弁部は、水を収容部３１内に浸入させるが、収容部３１内で発生した気体がチューブ２８以外から外部へ出ることを防止している。
【００４０】
また、この疑似餌は錘部２７を更に備えている。この錘部２７はチューブ２８を介してバルーンアクチュエータ１とつながっている。そして、給気手段２６はこの錘部２７に設けられている。具体的に説明すると、錘部２７は球形であり外殻（ケース）を有しているそして、その内部に空間部がある。この空間部に前記発泡剤２９が設けられている。つまり、図６と図７とに示しているように、錘部２７の外殻が前記収容部３１となっている。
【００４１】
この疑似餌によれば、水中に投じると、錘部２７の収容部３１内に浸入した水によって発泡剤２９が発泡し、これによって生じた気体がチューブ２８を介してバルーンアクチュエータ１へ自動的に供給される。さらに、この構成によれば、この疑似餌のうちの動く部分となるバルーンアクチュエータ１と、給気手段２６が設けられた錘部２７との距離を離すことができ、このバルーンアクチュエータ１の部分のみを疑似餌の本体乃至本体の一部とした構成となる。つまり、疑似餌の本体乃至本体の一部に、餌の形状として不自然となりそうな給気手段２６が取り付けられることを防ぐことができる。この構成によれば、給気手段２６を疑似餌の本体と比べて大きくすることができ、気体の発生量を多くすることができるものとなる。
【００４２】
さらに、この疑似餌において、給気手段２６はリリーフ弁３０を有している。このリリーフ弁３０は前記収容部３１に設けられており、給気手段２６がバルーンアクチュエータ１に対して給気を行うことで当該バルーンアクチュエータ１の高くなった内圧を逃がすことができる。なお、リリーフ弁３０の取り付け位置の変形例として、リリーフ弁３０がチューブ２８の一部につながっている構成（図示せず）であってもよい。
【００４３】
このリリーフ弁３０の機能について図８により説明する。リリーフ弁３０は、設定圧Ｐの内圧が生じると開動作することで当該内圧を逃がすことができるものである。
給気手段２６がバルーンアクチュエータ１に給気を行うと、バルーンアクチュエータ１の内圧が高まって当該バルーンアクチュエータ１は膨張し変形する（図７の状態）。バルーンアクチュエータ１の内圧（なお、この内圧はチューブ２８の内圧及び収容部３１の内圧と等しくなる）がリリーフ弁３０の設定圧Ｐに達すると、リリーフ弁３０がその内圧を逃がすことによりバルーンアクチュエータ１は収縮し変形する（図６の状態）。内圧が低下するとリリーフ弁３０は閉状態となり、給気手段２６の給気によりバルーンアクチュエータ１は再び膨張し変形する。このように、水中において、バルーンアクチュエータ１は膨張と収縮とを自動的に繰り返して行うことができる。なお、リリーフ弁３０が開状態になると、気体を排出することによって内圧を低下させるが、この気体の排出は水中であってもよく、または錘部２７に設けたタンク部（図示せず）またはこれとは別に設けたタンク部（図示せず）内に排出してもよい。
【００４４】
図６と図７とに示している実施の形態によれば、給気手段２６及びバルーンアクチュエータ１を備えた疑似餌が水中に投入されると、給気手段２６の発泡剤２９が発泡し、自動的にバルーンアクチュエータ１へ給気が行われる。これにより、バルーンアクチュエータ１が膨張することで変形する。そして、バルーンアクチュエータ１の内圧がある程度高まると、リリーフ弁３０によってその内圧が低下し、バルーンアクチュエータ１が収縮して膨張前の状態に変形する。このように、疑似餌が水中に投入されると、給気手段２６がバルーンアクチュエータ１に自動的に給気を行い、水中で自動的に疑似餌は動くことができる。なお、頭部１０と錘部２７とが釣り糸３２につながっている。
【００４５】
さらに、図８において、内圧が下がる際（排気）の単位時間あたりの圧力変化量は、内圧が上昇する際（給気）の単位時間あたりの圧力変化量よりも大きく、迅速に排気を行っている。さらにバルーンアクチュエータ１が膨張前の状態（又はこれに近い状態）へと戻る動作は、弾性的な復元力を含むものであるため急な動作となる。したがって、この発明の疑似餌は、急な動作を行うことができる構成を有している。また、この発明は、餌の急な動作に反応して魚はこれに飛びつくという習性を考慮したものであるため、このような急な動作を行うことができる構成は疑似餌として好適である。
【００４６】
また、図１に示した疑似餌及び図６に示した疑似餌のそれぞれにおいて、バルーンアクチュエータ１は、本体部６が一方向に長い形状であると共に、その本体部６は本物の海老の胴部の如く曲がる変形が可能となる。そして、疑似餌を、この本体部６を胴部１１として有した海老形としているので、本物の海老に近似した胴部１１が動く疑似餌とすることができる。さらに、複数の空間部５ａ，５ｂ，５ｃを有したバルーンアクチュエータ１を胴部１１に有しているため、この空間部５ａ，５ｂ，５ｃの間が節部となり、本物の海老の胴部に近似した形状を得ることができる。
【００４７】
また、胴部１１は頭部１０から取り外し可能であり、胴部１１を好みに応じて変更することができる。具体的な構成は、図１において、胴部１１（ベース部７）と頭部１０とのうちの一方に凸部２２が形成されており、他方にこの凸部２２と嵌合する凹部２３が形成されたものとすればよい。
【００４８】
また、この発明は、上記実施形態に限定されるものではない。例えば、バルーンアクチュエータ１に充填される流体は気体以外に液体であってもよく、水とすることができる。また、図６と図７との実施形態において、給気手段２６を錘部２７内に設けた場合を説明したが、給気手段２６を図示しないが頭部１０内に設けてもよい。
【図面の簡単な説明】
【００４９】
【図１】この発明の疑似餌の実施の一形態を示している側面図である。
【図２】図１の疑似餌が動いた後の状態を示している側面図である。
【図３】バルーンアクチュエータを説明する断面図である。
【図４】膨張後のバルーンアクチュエータを説明する断面図である。
【図５】拘束材の変形例を説明する側面図である。
【図６】この発明の疑似餌の他の実施形態を示している側面図である。
【図７】図６の疑似餌が動作した後の状態を示している側面図である。
【図８】給気手段が有しているリリーフ弁の機能について説明する説明図である。
【符号の説明】
【００５０】
１  バルーン本体（バルーンアクチュエータ）
１ａ，１ｂ，１ｃ  バルーンアクチュエータ
２  拘束材
３  硬さ変化部
４  溶解部
５ａ，５ｂ，５ｃ  空間部
６  本体部
２６  給気手段
２７  錘部
２８  チューブ
２９  発泡剤
３０  リリーフ弁
【図１】
2008182995.tif 000003
【図２】
2008182995.tif 000004
【図３】
2008182995.tif 000005
【図４】
2008182995.tif 000006
【図５】
2008182995.tif 000007
【図６】
2008182995.tif 000008
【図７】
2008182995.tif 000009
【図８】
2008182995.tif 000010